(57)【要約】【課題】形状の影響を受けずに、容器に装着した状態で全幅寸法を広げず、開封時の引裂き片のちぎれを防ぎ、てこ作用も発揮して容易に開封できる引裂き式容器蓋を提供する。【解決手段】天板２と、この外周から垂下したスカート部３と、スカート部３および天板２の少なくともスカート部３を引裂ライン４にて区画し、区画したスカート部３の端部から延出した引裂き片５と、引裂き片５を包囲状態で固定すると共に引裂ライン４にて区画したスカート部３の内面３ａに接する延出片６を有した引剥がし部材７と、からなる、容器８の口部９を閉じるものであり、延出片６はスカート部３の内面３ａに弱接着し、且つ引剥がし部材７にて引裂き式容器蓋１を開封する際、延出片６はスカート部３の内面３ａから剥がれ、容器口部９の外側面９ａに当接して、引剥がし部材７の延出片６が所定角度以上曲がるのを阻止することで、上記課題を達成する。【選択図】 図５
2014166860.tif 000002
【特許請求の範囲】
【請求項１】
天板と、該天板外周から垂下したスカート部と、該スカート部および前記天板の少なくとも前記スカート部を引裂ラインにて区画し、その区画した前記スカート部の端部から延出した引裂き片と、該引裂き片を包囲状態で固定すると共に前記引裂ラインにて区画した前記スカート部内面に接する延出片を有した引剥がし部材と、からなる、容器口部を閉じるための引裂き式容器蓋であって、
前記引剥がし部材の延出片は前記スカート部内面に弱接着し、且つ前記引剥がし部材にて前記引裂き式容器蓋を開封する際、前記延出片は前記スカート部内面から剥がれ、前記容器口部の外側面に当接して、前記引剥がし部材の延出片が所定角度以上曲がるのを阻止することを特徴とする引裂き式容器蓋。
【請求項２】
前記延出片の先端部位置Ｐ１は、前記容器口部に打栓するための打栓ヘッドが前記スカート部をクリンプする高さ位置Ｐ２よりも高くした請求項１記載の引裂き式容器蓋。
【発明の詳細な説明】
【技術分野】
【０００１】
本発明は、飲料などの内容液を充填した容器の口部に装着して、蓋の一部を引き裂くことで、その開閉を容易にした引裂き式容器蓋に関するものであり、より詳しくは、容器蓋を開封する際、引剥がし部材の延出片が所定角度以上曲がるのを阻止することにより、延出片が切断して開封が阻害されることを防止した引裂き式容器蓋に関する。
【背景技術】
【０００２】
上記引裂き式容器蓋は、密封状態の容器口部からワンタッチで開封でき、容器の内容液を直ぐに利用出来るため、飲料などの内容液を充填した飲みきりタイプの容器に多く利用されている。すなわち、この引裂き式容器蓋は、図６、７に示すように、天板５０と、この天板５０の外周から垂下したスカート部５１と、このスカート部５１および天板５０の少なくともスカート部５１を引裂ラインにて区画し、その区画したスカート部５１の端部５２から延出した引裂き片５３と、この引裂き片５３を包囲状態で固定する引剥がし部材５４と、からなるものである。そして、この引裂き式容器蓋は、容器５５の口部５６に打栓して液密にすると共に、そのスカート部５１を容器口部５６の外側面にあるリムフランジ５６ａに変形密着させ、容易に外れないようにして、液密状態を維持するようになっている。
【０００３】
上記した引裂き式容器蓋を装着した容器５５は、その容器蓋自体を引き裂くことで、ワンタッチで開封するため、一旦開封すると容器５５を再び閉じることが出来ず、したがって、容器５５の内容液は、原則使いきることが要求される。一方、容器５５の内容液を利用するには、容器５５に装着した引裂き式容器蓋自体を引き裂くことになるから、その引き裂きがスムーズに行われないと、容器５５の内容液を利用することが非常に困難になる。
【０００４】
この容器蓋を引き裂くには、引剥がし部材５４を利用して、引裂き片５３によりスカート部５１を引裂ラインに沿い引き裂き開封する前に、引裂き片５３がちぎれて開封出来なることがある。特に、引裂き式容器蓋が、引剥がし部材５４を除き、アルミニウムなどの金属製である場合、引裂き片５３がちぎれて開封出来ないことが多発することになる。その原因として考えられるのは、この引き裂きにはそれなりの力が必要であるから、開封の際引裂き片５３を繰り返し曲げたりして、アルミニウム製の引裂き片５３を疲労させ、ちぎれて開封出来なかったり、子供などが内容液入りの容器５５を引剥がし部材５４にて手指で持ち続けて、結果的に引裂き片５３を繰り返し曲げて、いざ開封の際に、既にアルミニウム製の引裂き片５３が疲労していて、その個所からちぎれて開封出来なくなくなる事態が起こることがある。
【０００５】
このような引裂き片が疲労して、ちぎれて開封出来ない不都合を解消することが出来る引裂き式容器蓋としては、図８及び９に示すように、引剥がし部材５４上のスカート部５１に近い端部に突出部５７及びスペーサ５８を設けて、開封の際引裂き片５３を繰り返し曲げても、突出部５７及びスペーサ５８がスカート部５１に当たり、その曲げ角度を抑制してアルミニウム製の引裂き片５３の疲労度合を下げ、且つ、てこ作用によりスカート部５１を引裂ラインに沿い引き裂き易くして、開封できるようにしたものがある（例えば、特許文献１、２参照）。
【先行技術文献】
【特許文献】
【０００６】
【特許文献１】特公平６−１７１４２号公報
【特許文献２】特公平６−１７１４３号公報
【発明の概要】
【発明が解決しようとする課題】
【０００７】
特許文献１及び２の引裂き式容器蓋は、引剥がし部材５４を利用して引裂き片５３により、スカート部５１を引裂ラインに沿い引き裂く際、突出部５７及びスペーサ５８がスカート部５１に当たり、引裂き片５３の曲げ角度を抑制し且つてこ作用によって、引裂き片５３がちぎれることなく、スカート部５１を引裂ラインに沿い引き裂くことが出来る。しかしながら、引裂き片５３の曲げ角度を抑制するには、突出部５７及びスペーサ５８を相当高くしなければならず、その結果、容器５５の形状によっては、この引裂き式容器蓋を装着した容器の全幅寸法が広がり、保管や輸送に不利となり易く、また、子供などが内容液入りの容器５５を引剥がし部材５４にて手指で持ち続けて、結果的に引裂き片５３の金属疲労をさせたような場合には、対応できないことになる。
【０００８】
そこで、本発明の目的は、容器形状に特に影響を受けずに、容器に装着した状態でも、その全幅寸法を広げることなく、開封の際の引裂き片のちぎれを防ぎ、しかも、開封時にてこ作用を発揮して容易に開封できる引裂き式容器蓋を提供することにある。
【課題を解決するための手段】
【０００９】
本発明は、上記目的を達成するために提案されたものであって、下記の構成からなることを特徴とするものである。
すなわち、本発明によれば、天板と、該天板外周から垂下したスカート部と、該スカート部および前記天板の少なくとも前記スカート部を引裂ラインにて区画し、その区画した前記スカート部の端部から延出した引裂き片と、該引裂き片を包囲状態で固定すると共に前記引裂ラインにて区画した前記スカート部内面に接する延出片を有した引剥がし部材と、からなる、容器口部を閉じるための引裂き式容器蓋であって、前記引剥がし部材の延出片は前記スカート部内面に弱接着し、且つ前記引剥がし部材にて前記引裂き式容器蓋を開封する際、前記延出片は前記スカート部内面から剥がれ、前記容器口部の外側面に当接して、前記引剥がし部材の延出片が所定角度以上曲がるのを阻止することを特徴とする引裂き式容器蓋が提供される。
【００１０】
また、本発明によれば、前記延出片の先端部位置Ｐ１は、前記容器口部に打栓するための打栓ヘッドが前記スカート部をクリンプする高さ位置Ｐ２よりも高くした引裂き式容器蓋が提供される。
【００１１】
上記第１の課題解決手段による作用は、引剥がし部材にて引裂き式容器蓋の開封を行うと、延出片は、弱接着のスカート部内面から剥がれ、容器口部の外側面に当接して、引裂き片が所定角度以上曲がるのを阻止し、その上、延出片は引剥がし部材による開封のてこ作用の支点となって開封する力が増し、スカート部および天板を引裂ラインに沿いスムーズに引き裂くことが出来る。
【００１２】
上記第２の課題解決手段による作用は、打栓ヘッドにより、容器口部に引裂き式容器蓋を打栓すると、容器口部に延出片の先端部も含んだ状態でスカート部をクリンプすることになる。そして、クリンプ時の外力によって、延出片が弱接着のスカート部内面から確実に剥がれるため、上記効果がより確実に発揮される。
【発明の効果】
【００１３】
本発明の引裂き式容器蓋によれば、容器形状に特に影響を受けずに、容器に装着した状態でも、その容器の全幅寸法を広げないため、保管や輸送に有利であり、開封の際の引裂き片のちぎれを防ぎ、しかも、開封時にてこ作用を発揮して、スムーズに開封することができる効果がある。
【００１４】
また、本発明の引裂き式容器蓋において、容器口部に延出片の先端部も含んだ状態でスカート部をクリンプすることにより、容器口部に引裂き式容器蓋を打栓出来て、容器口部を良好に密封することが出来ると共に、打栓時の外力により延出片が弱接着のスカート部内面から確実に剥がれるため、上記効果をより確実に発揮され得るものとなる。
【図面の簡単な説明】
【００１５】
【図１】本発明の実施の形態を示す引裂き式容器蓋の正面図である。
【図２】本発明の実施の形態を示す引裂き式容器蓋の縦断面図である。
【図３】本発明の実施の形態を示す引裂き式容器蓋の底面図である。
【図４】容器口部に本発明の実施形態の引裂き式容器蓋を打栓した状態を示す縦断面図である。
【図５】容器口部に打栓してある引裂き式容器蓋を開封する状態を示す縦断面図である。
【図６】引裂き式容器蓋の従来例を示す縦断面図である。
【図７】引裂き式容器蓋の従来例を示す縦断面図である。
【図８】引裂き式容器蓋の従来例を示す縦断面図である。
【図９】引裂き式容器蓋の従来例を示す斜視図である。
【発明を実施するための形態】
【００１６】
以下に、図面を参照して本発明を実施するための形態を説明する。
【実施例１】
【００１７】
図面において、１は引裂き式容器蓋であり、この引裂き式容器蓋１は、天板２と、この天板２の外周から垂下したスカート部３と、このスカート部３および天板２の少なくともスカート部３を引裂ライン４にて区画し、その区画したスカート部３の端部から延出した引裂き片５と、この引裂き片５を包囲状態で固定すると共に引裂ライン４にて区画したスカート部３の内面３ａに接する延出片６を有した引剥がし部材７と、からなる容器８の口部９を閉じるためのものであって、引剥がし部材７の延出片６はスカート部３の内面３ａに弱接着し、且つ引剥がし部材７にて引裂き式容器蓋１を開封する際、延出片６はスカート部３の内面３ａから剥がれ、容器口部９の外側面９ａに当接して、引裂き片５が所定角度以上曲がるのを阻止するものである。
【００１８】
前記容器８は、その口部９に引裂き式容器蓋１を打栓により、装着できるものであれば特に限定がなく、どのようなタイプ、材質でも良い。この実施例１の容器８では、ビンタイプを想定し、その口部９の端部にリムフランジ１０を設けてあり、容器口部９に引裂き式容器蓋１のスカート部３をあてがい、打栓して容器口部９の上面およびリムフランジ１０にスカート部３を変形させて密着状態で装着する。
【００１９】
前記引裂き式容器蓋１は、上述のとおり、その天板２とこれから垂下したスカート部３とで主要部を形成していて、その材質はアルミニュウムなどの金属製であり、天板２とスカート部３の内面はポリオレフィン系樹脂と接着可能な塗膜で被覆されている。円盤状シール材１１は、低密度ポリエチレンのような軟質樹脂またはエラストマーで形成することができ、溶融状態の必要量を天板２の内面２ａに落下して型で押圧し、円盤状に形成される。低密度ポリエチレンのような軟質樹脂またはエラストマーを使用することで円盤状シール材１１の成形歪みは速やかに緩和して、下面の全体または中央部を含む一部は天板２の内面２ａの塗膜と強固に接着固定される。上記の通り容器口部９に引裂き式容器蓋１を打栓した際、容器口部９の上面およびリムフランジ１０に密着して、容器８を完全にシールすることになる。引剥がし部材７の素材としては高結晶性または剛性のある樹脂が用いられ、成形歪みが残留することから、延出片６とスカート部３の内面３ａは界面の接着力が経時的に低下することで弱接着の状態で固定される。高結晶性の樹脂の例としては高密度ポリエチレン、剛性のある樹脂の例としてはポリプロピレンが挙げられる。
【００２０】
前記引裂ライン４は、スカート部３および天板２に設けてあり、これらを区画し、この区画したスカート部３の端部から前記引裂き片５を延出させている。なお、この引裂き片５の基端両側に位置するスカート部３にはＶ字状切欠１２が設けられ、このＶ字状切欠１２は、引裂ライン４に繋がり、開封の際、Ｖ字状切欠１２に力が集中して、引裂ライン４に沿い切り裂け易くする。また、引裂ライン４は、少なくともスカート部３に設けてあれば良く、引裂き式容器蓋１の開封をほぼ達成できるが、この実施例１では、スカート部３に加えて天板２にも引裂ライン４を設けて、上記開封性を良好にしている。
【００２１】
前記引裂き片５は、引裂ライン４により区画したスカート部３の端部から延出させたものであるから、その材質は当然スカート部３と同じアルミニウムなどの金属製である。そして、この引裂き片５は、前記引剥がし部材７に包囲状態で固定される。
【００２２】
この引剥がし部材７は、手指を掛けて力を加えるための指掛け部１３と、引裂き片５を包囲状態で固定し、その指掛け部１３に加えたその力を引裂き片５に伝えるための基端部１４と、からなり、その材質は剛性のある樹脂で構成されるのが望ましい。そして、引剥がし部材７は、指掛け部１３に加えた力を基端部１４を介して引裂き片５に伝え、この引裂き片５を通じて引裂ライン４を引き裂き、最終的に引裂き式容器蓋１を引き剥がすためのものである。
【００２３】
また、この引剥がし部材７の基端部１４にはすでに述べた延出片６が有り、この延出片６は、スカート部３の内面３ａに弱接着し、引裂き式容器蓋１を開封するために指掛け部１３に力を加えると、速やかにスカート部３の内面３ａから剥がれるようになっている。
そして、剥がれた延出片６は、図５に示すように、その剛性によりその先端部６ａが容器口部９の外側面９ａに当接し、突っ張る状態になって、引裂き片５が所定角度以上曲がるのを阻止し、開封の際の引裂き片５のちぎれを防ぐ。上記所定角度とは、鋭角にならない程度の角度を意味する。さらに、この延出片６の先端部６ａは、開封の際、上記の当接部位がてこ作用の支点ともなって、スカート部３および天板２を引裂ライン４に沿い速やかに引き裂くことが出来るようになり、引裂き式容器蓋１を容易に開封することができる。
【００２４】
なお、前記延出片６の先端部６ａの位置Ｐ１は、図２に示すように、容器８の口部９に打栓するための不図示の打栓ヘッドが、スカート部３をクリンプする高さ位置Ｐ２よりも高くしたものである。したがって、打栓ヘッドにより、容器口部９に引裂き式容器蓋１を打栓すると、そのスカート部３を容器口部９のリムフランジ１０に延出片６の先端部６ａも含んだ状態でクリンプすることになる。
【００２５】
次に、上記構成になる引裂き式容器蓋１の利用方法について説明する。
この引裂き式容器蓋１は、図１ないし３に示す状態のものがユーザーに納品される。    ユーザーは、引裂き式容器蓋１を装着する容器８に内容液を充填したあと、その容器口部９に引裂き式容器蓋１のスカート部３をあてがい、打栓して容器口部９の上面およびリムフランジ１０にスカート部３を変形させて密着状態で装着する。その際、引裂き式容器蓋１における延出片６の先端部６ａの位置Ｐ１が、打栓ヘッドによりスカート部３を完全にクリンプする高さ位置Ｐ２よりも高くしてあるから、容器口部９のリムフランジ１０にスカート部３を延出片６の先端部６ａも含んだ状態でクリンプし、容器口部９を引裂き式容器蓋１により完全に密封することになる。また、この状態で打栓すると、打栓時の外力で延出片６とスカート部３の内面３ａの弱接着部位が容易に剥離し、上記効果をより発揮し得るものとなる。
【００２６】
開封に際しては、引剥がし部材７の指掛け部１３に手指を掛けて力を開封方向に加えれば、引裂き片５を通じてスカート部３のＶ字状切欠１２に力が集中し、スカート部３および天板２の引裂ライン４を引き裂き、最終的に容器口部９から引裂き式容器蓋１を引き剥がし開封することができる。なお、その際、引剥がし部材７の延出片６は、スカート部３の内面３ａに弱接着しているため、速やかにスカート部３の内面３ａから剥がれ、その剛性によりその先端部６ａが容器口部９の外側面９ａに当接し、突っ張り状態になって引裂き片５が所定角度以上曲がるのを阻止し、開封の際の引裂き片５のちぎれを防ぎ、且つ、延出片６の先端部６ａがてこ作用の支点になって、スカート部３および天板２を引裂ライン４に沿い速やかに引き裂き、引裂き式容器蓋１を容易に開封することができる。
【００２７】
次に、本発明の引裂き式容器蓋と従来例の引裂き式容器蓋との性能の比較をしたので、その状況を示す。
〈試験例１〉
空のビンタイプの容器口部に、図１ないし図３に示す本発明の引裂き式容器蓋を打栓したあと、引剥がし部材の指掛け部に手指を掛けて力を開封方向に加えて、目視観察した。  その結果、図５に示すように、剥がし部材の延出片はスカート部内面から速やかに剥がれ、その先端部が容器口部の外側面に当接し突っ張り状態になって、引裂き片が所定角度以上曲がるのを阻止し、引裂き片の曲率が大きくなった。
〈試験例２〉
さらに、試験例１と同じように作製したサンプルにおいて、剥がし部材の指掛け部に手指を掛けて力を開封方向および閉鎖方向に繰り返して行い、すなわち、引裂き片の折り曲げを繰り返し行って、引裂き片のちぎれ状況を観察した。なお、この引裂き片のちぎれは５例につき行った。
その結果、引裂き片のちぎれは、折り曲げ回数平均３５回で起きた。
【００２８】
〈比較例１〉
空のビンタイプの容器口部に、図６ないし図７に示す従来例の引裂き式容器蓋を打栓したあと、引剥がし部材の指掛け部に手指を掛けて力を開封方向に加えて、目視観察した。  その結果、図７に示すように、引裂き片が所定角度以上曲がるのを阻止するものが無いから、引裂き片の曲率が小さくなった。
〈比較例２〉
さらに、比較例１と同じように作製したサンプルにおいて、剥がし部材の指掛け部に手指を掛けて力を開封方向および閉鎖方向に繰り返して行い、すなわち、引裂き片の折り曲げを繰り返し行って、引裂き片のちぎれ状況を観察した。なお、この引裂き片のちぎれは５例につき行った。
その結果、引裂き片のちぎれは、折り曲げ回数平均２０回で起きた。
【００２９】
以上、本発明の実施例１を説明したが、具体的な構成はこれに限定されず、本発明の要旨を逸脱しない範囲での変更は、適宜可能であることが理解されるべきである。
【産業上の利用可能性】
【００３０】
本発明の引裂き式容器蓋は、容器形状に特に影響を受けずに、容器に装着した状態でもその全幅寸法を広げることなく、開封の際の引裂き片のちぎれを防ぎ、しかも、開封時にてこ作用を発揮して容易に開封できるようにしたい場合、その利用可能性が極めて高くなる。
【符号の説明】
【００３１】
１                        引裂き式容器蓋
２、５０                  天板
２ａ                      天板内面
３、５１                  スカート部
３ａ                      スカート部内面
４                        引裂ライン
５、５３                  引裂き片
６                        延出片
６ａ                      先端部
７、５４                  引剥がし部材
８、５５                  容器
９、５６                  口部（容器口部）
９ａ                      外側面
１０、５６ａ              リムフランジ
１１                      リング状シール材
１２                      Ｖ字状切欠
１３                      指掛け部
１４                      基端部
５２                      端部
５７                      突出部
５８                      スペーサ
【図１】
2014166860.tif 000003
【図２】
2014166860.tif 000004
【図３】
2014166860.tif 000005
【図４】
2014166860.tif 000006
【図５】
2014166860.tif 000007
【図６】
2014166860.tif 000008
【図７】
2014166860.tif 000009
【図８】
2014166860.tif 000010
【図９】
2014166860.tif 000011